(57)【要約】【課題】天然石を単に利用しているだけではなく、合成樹脂内に天然石を配置して、より装飾的に優れた装飾品を提供する。【解決手段】装飾品１は、反射層２と、１つまたは複数の天然石３と、反射層２と天然石３とを覆う合成樹脂４とを備えている。反射層２は、合成樹脂４内の底部側に配置され、天然石３は反射層２の上部に配置され、反射層２と天然石３の少なくとも一部とは離間している。反射層２と天然石３が離間することで、反射層２で反射した光が、天然石３の底から当たり、影ができず、天然石３が美しく見え、見映えが向上する。【選択図】図１
0003234051.tif 000002
【実用新案登録請求の範囲】
【請求項１】
合成樹脂内に天然石を配置した装飾品であって、
反射層と、
前記反射層上に配置される、少なくとも１つ以上の天然石と、
前記反射層および前記天然石を覆うように設けられる透明または半透明の合成樹脂と、を備え、
前記反射層と前記天然石の少なくとも一部とが離間していることを特徴とする、
装飾品。
【請求項２】
前記天然石が、透明または半透明であることを特徴とする、
請求項１に記載の装飾品。
【請求項３】
前記反射層が、シェルパウダーからなることを特徴とする、
請求項１または２に記載の装飾品。
【請求項４】
前記反射層と前記天然石とが離間していることを特徴とする請求項１〜３の何れか１項に記載の装飾品。
【請求項５】
請求項１〜４の何れか１項に記載の装飾品を備えた、スマホリング、マグネット、箸置き、小物入れ、印鑑ケース、トレイまたはキーホルダー。
【考案の詳細な説明】
【技術分野】
【０００１】
本考案は、天然石を利用した装飾品、特に天然石を利用したスマホリング、マグネット、箸置き、小物入れ、印鑑ケース、トレイまたはキーホルダーに関する。
【背景技術】
【０００２】
天然石入り合成樹脂（特許文献１参照）や天然石を利用したストラップが知られている（特許文献２参照）。
【０００３】
特許文献１は、天然石の一種であるトルマリンの粉末をエポキシ樹脂液に混入させ、金型に当該樹脂液を吹き付けることで中間成形品が作られ、中間成形品の裏面側に液状合成樹脂を流し込んでバックアップ層を積層成形した天然石入り合成樹脂とその成形方法であり、製品の外表面となる表層部に天然石の粉末を浮き上がった状態で集中的に偏在させることで天然石の使用量を少なくして安価にしたことが開示されている。
【０００４】
特許文献２は、天然石と金属の装飾品で構成され、ワイヤーに天然石ビーズおよび他のパーツ等を通し、トップに金属の装飾品等が取り付けられたストラップであり、ファッション性に優れ高級感を有する効果があることが開示されている。
【先行技術文献】
【特許文献】
【０００５】
【特許文献１】特開２００２−３８０２３号公報
【特許文献２】実用新案登録第３１６５２１７号公報
【考案の概要】
【考案が解決しようとする課題】
【０００６】
しかしながら、特許文献１に記載された天然石入りの合成樹脂は、単に粉末の天然石を引き詰めた状態にあり、装飾性が殆どないという問題点があった。
【０００７】
また、特許文献２に記載されているストラップは、天然石をストラップに使用しているだけで、天然石の美しさをそのまま利用しているに過ぎないという問題点があった。
【０００８】
本考案は、天然石を単に利用するだけではなく、合成樹脂内に天然石を配置して、より装飾的に優れた装飾品を提供することを目的とする。
【課題を解決するための手段】
【０００９】
本考案の考案者は、上述した問題点に関して鋭意研究・開発を続けた結果、以下のような画期的な装飾品を見出した。
【００１０】
上記課題を解決するための本発明の第１の態様は、合成樹脂内に天然石を配置した装飾品であって、反射層と、反射層上に配置される、少なくとも１つ以上の天然石と、反射層および天然石を覆うように設けられる透明または半透明の合成樹脂と、を備え、反射層と天然石の少なくとも一部とが離間していることを特徴とする、装飾品にある。
【００１１】
かかる第１の態様によれば、反射層で反射した光が、天然石の底から当たり、影ができず、美しい装飾品を提供することができる。
【００１２】
本発明の第２の態様は、天然石が、透明または半透明であることを特徴とする、第１の態様に記載の装飾品にある。
【００１３】
ここで、「半透明」とは、透明程ではないが、合成樹脂を通して、天然石の色や形がある程度見えるような状態をいう。
【００１４】
かかる第２の態様によれば、天然石内を反射層で反射した光が透過し、天然石をより美しく輝かせることができる。
【００１５】
本発明の第３の態様は、反射層が、シェルパウダーからなることを特徴とする、第１または第２の態様に記載の装飾品にある。
【００１６】
ここで、「シェルパウダー」とは、粉末状に細かく砕いた貝殻であり、染色したものも含まれる概念である。
【００１７】
かかる第３の態様によれば、入射した光がよく散乱され、その散乱光により天然石の色のコントラストが向上して、天然石がさらに美しく見える。
【００１８】
本発明の第４の態様は、反射層と天然石とが離間していることを特徴とする第１〜第３の態様の何れか１つに記載の装飾品にある。
【００１９】
かかる第４の態様によれば、反射層で反射した光が、天然石の底から当たり、影ができず、天然石が美しく見えるので、見映えが向上し、より美しい装飾品を提供することができる。
【００２０】
本発明の第５の態様は、第１〜第４の態様の何れか１つに記載の装飾品を備えた、スマホリング、マグネット、箸置き、小物入れ、印鑑ケース、トレイまたはキーホルダーにある。
【００２１】
ここで、スマホリング、マグネット、箸置き、小物入れ、印鑑ケース、トレイまたはキーホルダーは、公知のものを利用することができる。
【００２２】
かかる第５の態様によれば、おしゃれで好感度の高い性能を有する各商品を提供することができる。また、金具や基盤などの色を隠し、天然石の色や形を美しく見せる商品を提供することができる。
【図面の簡単な説明】
【００２３】
【図１】実施形態１に係る装飾品を示す概略側面透視図である。
【図２】実施形態１に係る装飾品の製造方法を示す概念図であり、（ａ）は天然石配置工程、（ｂ）は反射層形成工程、（ｃ）は完成品である。
【考案を実施するための形態】
【００２４】
以下に添付図面を参照して、本考案に係る装飾品の実施形態を説明する。なお、本考案は、以下の実施形態に限定されるものではない。
（実施形態１）
【００２５】
図１は、本実施形態に係る装飾品を示す概略側面透視図である。この図に示されるように、装飾品１は、反射層２と、その上方に配置された１つまたは複数の天然石３と、反射層２と天然石３とを覆う合成樹脂４とを備えている。
【００２６】
一般的に、合成樹脂に不揃いな形の天然石を入れた装飾品をスマホリングやキーホルダーなどに取り付けると、金具等の色が表側に見えてしまい、天然石の色が綺麗に見えない。そこで、本考案者は、天然石の色を綺麗に見せるために背景をつけることを見出した。
【００２７】
ところが、装飾品の底部に白い色を塗布すると合成樹脂の中に入射した光が反射して、底面が平面でない天然石に当たると、背景に影ができてしまう。その結果、本考案者は、この影により天然石の色が暗くなることを発見した。
【００２８】
そこで、本考案者は、天然石３とは別に反射層２を形成し、反射層２の上に天然石３を配置し、反射層２と天然石３とを離間させることにより、天然石３が美しく輝くことを考案した。具体的には、反射層２と天然石３とを離間させることで、天然石３の影が解消され、天然石３が美しく見える。
【００２９】
天然石３が美しく輝くための反射層２は、合成樹脂４内の底部側に配置され、装飾品１の外部から合成樹脂４内に入射する光（太陽光、照明光など）を反射する。反射層２は、入射する光を反射する反射材料を含む層で形成されている。反射材料としては、例えば、シェルパウダー、水晶パウダー、ガラス片、金属片、光沢のある顔料等が挙げられる。パウダーや片は、合成樹脂４内に分散させればよく、顔料であれば、図示しない基板上や予め作成した薄い合成樹脂上に塗布することで反射層２が得られる。また、反射層２は、合成樹脂４内に入射してきた光を散乱させることができるものが好ましい。さらに、反射層の色は特に限定されないが、天然石の影をより完全に解消することができるので、白色が好ましい。
【００３０】
合成樹脂４内において、反射層２の上部に配置される天然石３は、少なくとも一つ以上である。天然石３は、特に限定されず、例えばトルマリン、アメジスト、イエロージェイド、アクアマリン、アパタイト、ペリドット、オニキス、ルビー、ムーンストーン、マザーオブパール、インカローズ、シトリン、ラブラドライト、タンザナイト、オパール、珊瑚、ガーネット、岩塩、クォーツ、ラピスラズリ、アベンチュリン、アラゴナイト、カーネリアン、フローライト等が挙げられるが、これらの中でも透明や半透明なものの方がより美しく見えるので好ましい。また、天然石３を複数配置する場合、上下よりも横方向（水平方向）に配列した方がより美しく見える。さらに、天然石３の大きさや形状も特に限定されないが、反射層２が存在するので、底面が平坦でない天然石３を用いても、天然石の色が綺麗に見える装飾品となる。
【００３１】
合成樹脂４は、反射層２と天然石３を所定の位置に固定する液状の合成樹脂が硬化した樹脂であり、反射層２と天然石３とを離間させている。合成樹脂４の材料は、透明や半透明のものであれば特に限定されない。合成樹脂４の材料としては、例えば、アクリル樹脂、エポキシ樹脂、シリコーン樹脂、ポリエチレン樹脂、ポリプロピレン樹脂、ポリスチレン樹脂、ポリエチレンテレフタラート樹脂、ポリ塩化ビニル樹脂、ポリカーボネート等が挙げられる。なお、合成樹脂４は、天然石の色をより際立たせることができる無色透明な材料が好ましく、無色透明な紫外線硬化樹脂が特に好ましい。
【００３２】
次に、本実施形態の装飾品の製造方法について説明する。本実施形態の装飾品１は、種々の製造手順によって成形することが可能であるが、一例として、図２に示す手順に従って説明する。
【００３３】
まず、天然石配置工程：型１０に液体状の合成樹脂４ａを流し込み、ある程度の高さになった状態で天然石３を適度に配置し、硬化させる（図２（ａ））参照）。
【００３４】
次に、反射層形成工程：硬化させた合成樹脂の上に反射材料を分散した液体状の合成樹脂４ｂを流し込み（図２（ｂ）参照）、再び硬化させる。そして、型１０から取り外すことで装飾品１が完成する（図２（ｃ）参照）。
【００３５】
なお、本実施形態の装飾品１は、例えばスマホリング、マグネット、箸置き、小物入れ、印鑑ケース、トレイまたはキーホルダー等に取り付けることが可能である。
（他の実施形態）
【００３６】
実施形態１では、反射層の上に天然石を配置し、反射層と天然石とが離間するように装飾品を構成したが、本発明はこれに限定されない。例えば、反射層と天然石の少なくとも一部と離間するように装飾品を構成してもよい。反射層が無ければ、背景に天然石の一部の影ができてしまうが、反射層が存在することによって、その天然石の一部の影を解消することができる。その結果、実施形態１と同様の効果が得られる。
【００３７】
また、実施形態１では、装飾品の下側端部に反射層が配置されているが、本発明はこれに限定されない。反射層は、下方（天然石の底面に接触することを含む）に配置されていればよく、このように装飾品を構成することによって、実施形態１の装飾品と同様の効果が得られる。
【００３８】
なお、本考案は、上述した実施形態に限定されず、変形、改良、等が適宜可能である。また、上述した実施形態における各構成要素の形状、寸法、材質、数、配置箇所等は、本考案を達成できるものであれば任意であり、限定されない。
【産業上の利用可能性】
【００３９】
本考案は、天然石を美しく見せる装飾品に好適に用いられる。
【符号の説明】
【００４０】
１  装飾品
２  反射層
３  天然石
４、４ａ、４ｂ  合成樹脂
１０  型
【図１】
0003234051.tif 000003
【図２】
0003234051.tif 000004